(57)【要約】【課題】ビデオカメラによって撮影された映像は、ビデオカメラ本体の位置から撮影される映像である。つまり、ビデオカメラ本体が具備するディスプレイ上では、決まった位置から撮影された映像しか、ユーザは見ることができない。異なる場所から撮影された映像をリアルタイムに見ることは、従来のビデオカメラではできなかった。【解決手段】本発明の映像出力装置１００は、映像を送信する映像送信装置２００を識別する装置識別子と当該映像を撮影した位置を特定する位置情報を有する装置情報を１以上受信する装置情報受信部１０１と、装置識別子と映像の組を受信する映像受信部１０２と、位置情報または装置識別子を特定する指示を受け付ける指示受付部１０４と、指示受付部１０４が受け付けた指示に対応する映像を出力する映像出力部１０６を具備することを特徴としている。【選択図】図１
2005175554.tif 000002
【特許請求の範囲】
【請求項１】
映像を送信する映像送信装置を識別する装置識別子と当該映像を撮影した位置を特定する位置情報を有する装置情報を１以上受信する装置情報受信部と、
装置識別子と、映像の組を受信する映像受信部と、
位置情報または装置識別子を特定する指示を受け付ける指示受付部と、
前記指示受付部が受け付けた指示に対応する映像を出力する映像出力部を具備する映像出力装置。
【請求項２】
装置識別子を格納している装置情報格納部と、
映像を撮影する映像撮影部と、
前記装置識別子と映像の組を送信する映像送信部をさらに具備する請求項１記載の映像出力装置。
【請求項３】
前記映像出力部が前記映像撮影部が撮影した映像を出力し、かつ、前記指示受付部が位置情報または装置識別子を特定する指示を受け付けた場合に、
前記映像出力部は、前記映像撮影部が撮影した映像から前記指示受付部が受け付けた指示に対応する映像に切り替えて出力する請求項２記載の映像出力装置。
【請求項４】
装置識別子と位置情報を有する装置情報を１以上受信する装置情報受信部と、
前記位置情報に基づいて前記装置識別子で識別される映像送信装置の位置を視覚的に表示する装置位置表示部と、
前記位置が表示された映像送信装置に対する指示を受け付ける装置指示受付部をさらに具備し、
前記映像出力部は、前記装置指示受付部が受け付けた指示に対応する映像送信装置から送信された映像を出力する請求項１から請求項３のいずれかに記載の映像出力装置。
【請求項５】
装置識別子と位置情報を有する装置情報を送信する装置情報送信部を、
さらに具備する請求項４記載の映像出力装置。
【請求項６】
地図情報を格納している地図情報格納部と、
前記地図情報に基づいて地図を表示する地図情報表示部と、
前記装置位置表示部は、前記地図情報表示部が表示した地図上に映像送信装置の位置を視覚的に表示する請求項４または請求項５のいずれかに記載の映像出力装置。
【請求項７】
前記装置情報は、装置の属性に関する情報である装置属性情報を有し、
前記装置位置表示部は、前記装置属性情報を、さらに視覚的に表示する請求項４から請求項６のいずれかに記載の映像出力装置。
【請求項８】
前記映像受信部は、装置識別子と映像と当該映像を撮影した時刻の情報である撮影時刻情報の組を受信する請求項１から請求項７のいずれかに記載の映像出力装置。
【請求項９】
前記映像送信部は、装置識別子と映像と当該映像を撮影した時刻の情報である撮影時刻情報の組を送信する請求項２から請求項８のいずれかに記載の映像出力装置。
【請求項１０】
映像を撮影する撮影部と、
映像送信装置を識別する装置識別子と前記映像を撮影した位置を特定する位置情報を有する装置情報を送信する装置情報送信部と、
前記装置識別子と前記映像の組を送信する映像送信部を具備する映像送信装置。
【請求項１１】
前記映像送信部は、装置識別子と映像と当該映像を撮影した時刻の情報である撮影時刻情報の組を送信する請求項１０記載の映像送信装置。
【請求項１２】
コンピュータに、
映像を送信する映像送信装置を識別する装置識別子と当該映像を撮影した位置を特定する位置情報を有する装置情報を１以上受信する装置情報受信ステップと、
装置識別子と、映像の組を受信する映像受信ステップと、
位置情報または装置識別子を特定する指示を受け付ける指示受付ステップと、
前記指示受付ステップで受け付けた指示に対応する映像を出力する映像出力ステップを実行させるためのプログラム。
【請求項１３】
コンピュータに、
映像を撮影する映像撮影ステップと、
格納している装置識別子と映像の組を送信する映像送信ステップをさらに実行させるための請求項１２記載のプログラム。
【請求項１４】
コンピュータに、
装置識別子と位置情報を有する装置情報を１以上受信する装置情報受信ステップと、
前記位置情報に基づいて前記装置識別子で識別される映像送信装置の位置を視覚的に表示する装置位置表示ステップと、
前記位置が表示された映像送信装置に対する指示を受け付ける指示受付ステップと、
前記指示受付ステップで受け付けた指示に対応する映像送信装置から送信された映像を出力する出力ステップをさらに実行させるための請求項１２または請求項１３のいずれかに記載のプログラム。
【請求項１５】
コンピュータに、
装置識別子と位置情報を有する装置情報を送信する装置情報送信ステップを、
さらに実行させるための請求項１４記載のプログラム。
【請求項１６】
コンピュータに、
地図情報に基づいて地図を表示する地図情報表示ステップと、
前記地図情報表示ステップで表示した地図上に映像送信装置の位置を視覚的に表示する表示ステップをさらに実行させるための請求項１４または請求項１５のいずれかに記載のプログラム。
【請求項１７】
コンピュータに、
映像を送信する映像送信装置を識別する装置識別子と当該映像を撮影した位置を特定する位置情報を有する装置情報を１以上受信する装置情報受信ステップと、
装置識別子と、映像と当該映像を撮影した時刻の情報である撮影時刻情報の組を受信する映像受信ステップと、
位置情報または装置識別子を特定する指示を受け付ける指示受付ステップと、
前記指示受付ステップで受け付けた指示に対応する映像を出力する映像出力ステップを実行させるためのプログラム。
【請求項１８】
コンピュータに、
映像を撮影する映像撮影ステップと、
格納している装置識別子と映像と当該映像を撮影した時刻の情報である撮影時刻情報の組を送信する映像送信ステップをさらに実行させるための請求項１７記載のプログラム。
【発明の詳細な説明】
【技術分野】
【０００１】
本発明は、例えば、外部装置から映像を取得し、出力する映像出力装置等に関する。
【背景技術】
【０００２】
従来から、ビデオカメラがある。このビデオカメラは、映像を取得する。取得された映像は、例えば、ファインダー、液晶ディスプレイ等に表示され、また、記録媒体に記録されうる（非特許文献１参照）。
【非特許文献１】日本ビクター株式会社ホームページ［平成１５年１０月２４日検索］インターネット<ＵＲＬ：ｈｔｔｐ：／／ｗｗｗ．ｊｖｃ−ｖｉｃｔｏｒ．ｃｏ．ｊｐ／ｐｒｏｄｕｃｔｓ／ｍｏｖｉｅ／ＧＲ−ＤＶＰ９．ｈｔｍｌ>
【発明の開示】
【発明が解決しようとする課題】
【０００３】
しかしながら、ビデオカメラによって撮影された映像は、ビデオカメラ本体の位置から撮影された映像である。つまり、ビデオカメラ本体が具備する、ファインダー、液晶ディスプレイ上では、ビデオカメラ本体の位置から撮影された映像しか、ユーザは見ることができない。
【０００４】
また、複数のビデオカメラを各々異なる場所に設置して映像を取得することはできる。ユーザが複数の場所で取得された映像を見るためには、以下の処理が必要である。ビデオカメラが取得した映像を記録媒体（例えば、ＳＤメモリーカード、マルチメディアカード、ＭｉｎｉＤＶカセット等）に記録する。次に、例えば、ビデオカメラ、パソコン等に当該記録媒体を接続する。表示手段は、当該記録媒体から映像の情報を読み込み、当該映像を表示する。つまり、ユーザは、異なる場所の映像を見るためには、上記の処理が必要であり、リアルタイムで、異なる場所の映像を楽しめなかった。例えば、野球場での野球観戦の場合、内野席、外野席、ネット裏の各々のスタンドにビデオカメラを持ったユーザが観戦しているとする。内野席スタンドのユーザは、内野席スタンドから見た試合の映像を撮影する。外野席スタンド、ネット裏スタンドのユーザも各々の場所から映像を撮影する。内野席スタンドのユーザが外野席スタンドからの試合の映像を見たいと考えた場合、内野席スタンドのユーザは、外野席スタンドに行くか、または、外野席スタンドのユーザが撮影した映像を取得する必要がある。しかし、外野席スタンドのユーザが撮影した映像を取得することは、タイムラグが生じるため、内野席スタンドにいながら、特定の瞬間における映像を（例えば、ホームランボールが外野席に飛び込む瞬間の映像等）リアルタイムに、見ることはできない。また、ネット裏スタンドからの映像を見る場合も上記と同様のことが言える。
【０００５】
また、ビデオカメラの種類によっては、他のビデオカメラの機能を利用することができなかった。例えば、ビデオカメラＡが高解像度の映像を撮影でき、ビデオカメラＢが標準解像度の映像のみを撮影するものである場合、ビデオカメラＢでは、ビデオカメラＡが撮影した高解像度の映像を表示できなかった。
【課題を解決するための手段】
【０００６】
第一の発明の映像出力装置は、映像を送信する映像送信装置を識別する装置識別子と当該映像を撮影した位置を特定する位置情報を有する装置情報を１以上受信する装置情報受信部と、装置識別子と、映像の組を受信する映像受信部と、位置情報または装置識別子を特定する指示を受け付ける指示受付部と、指示受付部が受け付けた指示に対応する映像を出力する映像出力部を具備することを特徴にしている。
【０００７】
この構成により、複数の異なる場所で撮影された映像をリアルタイムで取得し、出力できる。具体的には、例えば、野球場の内野席スタンドにいても、外野席スタンドから撮影した映像を見ることができ、野球観戦を満喫できる。また、高解像度の映像を見ることもできる。また、上手に撮影できるユーザが撮影した映像を見ることもできる。
【０００８】
また、第二の発明の映像出力装置は、第一の発明の映像出力装置において、装置識別子を格納している装置情報格納部と、映像を撮影する映像撮影部と、装置識別子と映像の組を送信する映像送信部をさらに具備することを特徴にしている。
【０００９】
この構成により、映像を撮影し、他の装置に、当該映像の情報を送信できる。具体的には、例えば、野球場の内野席スタンドから撮影した映像と、外野席スタンドから撮影した映像を相互に送受信できる。内野席スタンドのユーザは、内野席スタンドにいながら外野席スタンドから撮影された映像を見ることができ、かつ、外野席スタンドのユーザは、外野席スタンドにいながら内野席スタンドから撮影された映像を見ることができる。よって、ユーザは、例えば、野球観戦を、満喫できる等の効果がある。
【００１０】
また、第三の発明の映像出力装置は、装置識別子と位置情報を有する装置情報を１以上受信する装置情報受信部と、位置情報に基づいて装置識別子で識別される映像送信装置の位置を視覚的に表示する装置位置表示部と、位置が表示された映像送信装置に対する指示を受け付ける指示受付部をさらに具備し、映像出力部は、指示受付部が受け付けた指示に対応する映像送信装置から送信された映像を出力することを特徴にしている。
【００１１】
この構成により、撮影場所が視覚的に表示されるので、ユーザが所望する撮影場所の装置を簡単に指定できる。
【００１２】
また、第四の発明の映像出力装置は、地図情報を格納している地図情報格納部と、地図情報に基づいて地図を表示する地図情報表示部と、装置位置表示部は、地図情報表示部が表示した地図上に映像送信装置の位置を視覚的に表示することを特徴にしている。
【００１３】
この構成により、ユーザは、装置の場所を地図に照らし合わせて正確に把握でき、所望する装置を簡単に指定できる。
また、第五の発明の映像出力装置は、映像受信部が、装置識別子と映像と当該映像を撮影した時刻の情報である撮影時刻情報の組を受信することをさらに特徴とする第一の発明の映像出力装置である。
かかる構成により、映像を切り替える場合に、精度よく同期をとれる。また、異なる地点から撮影された２以上の映像を、同期をとって同時に見ることができる。また、異なる地点から撮影された２以上の映像を編集する場合に、同期がとれた編集映像を簡単に作成できる。
【発明の効果】
【００１４】
本発明による映像出力装置によれば、異なる場所から撮影した映像を受信し、出力できる。
【発明を実施するための最良の形態】
【００１５】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場
合がある。
【００１６】
（実施の形態１）
本実施の形態において、映像出力装置は、映像送信装置から映像を受信し、出力する。また、映像出力装置は、外部装置等に、当該映像出力装置が撮影した映像を送信する。以下に、その動作について説明する。
【００１７】
図１は、本実施の形態における映像出力装置１００および映像送信装置２００の構成を示すブロック図である。映像出力装置１００は、装置情報受信部１０１、映像受信部１０２、第一蓄積部１０３、第一格納部１０４、指示受付部１０５、映像出力部１０６、装置情報格納部１０７、映像撮影部１０８、撮影映像蓄積部１０９、撮影映像格納部１１０、映像送信部１１１、装置情報送信部１１２を有する。
【００１８】
また、映像送信装置２００は、第二格納部２０１、送受信部２０２、第二蓄積部２０３を有する。なお、映像送信装置２００は、映像を撮影する撮影部を有しても良い。かかる場合、撮影部は、撮影部が撮影した映像を第二格納部２０１に格納する。また、映像送信装置２００は、映像を撮影する外部装置から映像の情報を受け付ける受付部を有しても良い。かかる場合、受付部は、受付部が受け付けた映像の情報を第二格納部２０２に格納する。
【００１９】
装置情報受信部１０１は、装置情報を１以上受信する。「装置情報」は、装置に関する情報であり、例えば、装置識別子と位置情報を有する。また、「装置情報」は、装置の属性に関する情報である装置属性情報、例えば、装置のメーカー名、装置の型式、映像の画質を示す情報、映像を撮影する信号方式等をさらに有しても良い。「装置識別子」は、映像を送信する映像送信装置を識別する識別子であり、例えば、ＩＰアドレス、電話番号、ＭＡＣアドレス、ＵＲＬ、ＵＲＩ、ＵＲＮ、Ｐ２Ｐ（ｐｅｅｒ  ｔｏ  ｐｅｅｒ）ネットワーク上のＩＤ等である。「位置情報」は、映像送信装置が映像を撮影した位置を特定する情報であり、例えば、経度緯度の情報、住所、所定の物を基点とした相対位置の情報（例えば、撮影の対象物や特定の位置からの距離、方位角等）等である。装置情報受信部１０１は、例えば、通信手段、放送を受信する手段等で実現されうる。なお、通信手段は、無線通信手段、有線通信手段のいずれであっても良い。無線通信技術は、例えば、Ｂｌｕｅｔｏｏｔｈ等でもよいが、特に問わない。なお、「Ｂｌｕｅｔｏｏｔｈ」は、免許なしで自由に使うことのできる２．４５ＧＨｚ帯の電波を利用し、１Ｍｂｐｓの速度で通信を行なうことができる、通信技術である。
【００２０】
映像受信部１０２は、装置識別子と映像の組を受信する。映像受信部１０２は、装置識別子と映像の組を受信する場合、指示受信部１０５が受け付けた指示に対応して受信する映像を変えても良い。映像受信部１０２は、全ての映像送信装置２００が送信した装置識別子と映像の組を受信しても良い。「映像」は、高画質の映像であるハイビジョン映像でも良く、標準画質の映像でも良い。また、アナログ方式で撮影された映像でも良く、デジタル方式で撮影された映像でも良い。映像受信部１０２は、例えば、通信手段、放送を受信する手段等で実現されうる。なお、通信手段は、無線通信手段、有線通信手段のいずれであっても良い。無線通信技術は、例えば、Ｂｌｕｅｔｏｏｔｈ等でもよいが、特に問わない。また、映像受信部１０２と装置情報受信部１０１は、同一の通信手段、放送を受信する手段等で実現されていても良い。
【００２１】
第一蓄積部１０３は、装置情報受信部１０１が受信した装置情報を第一格納部１０４に蓄積する。また、第一蓄積部１０３は、映像受信部１０２が受信した装置識別子と映像の組を、第一格納部１０４に蓄積する。「蓄積」とは、一時蓄積を含む概念である。第一蓄積部１０３は、通常、ＭＰＵやメモリ等から実現され得る。「蓄積する」ための処理手順は、通常、ソフトウェアで実現され、当該ソフトウェアはＲＯＭ等の記録媒体に記録されている。但し、ハードウェア（専用回路）で実現しても良い。
【００２２】
第一格納部１０４は、第一蓄積部１０３が蓄積した装置情報を格納している。また、第一格納部１０４は、装置識別子と映像の組を格納している。第一格納部１０４は、不揮発性の記録媒体が好適であるが、揮発性の記録媒体であっても良い。
【００２３】
指示受付部１０５は、位置情報または装置識別子を特定する指示を受け付ける。指示受付部１０５は、例えば、スイッチや、ボタン、タッチパネル等のユーザが入力指示をする手段により実現され得る。
【００２４】
映像出力部１０６は、指示受付部１０５が受け付けた指示に対応する映像を出力する。「指示受付部１０５が受け付けた指示に対応する映像」とは、指示受付部１０５が受け付けた位置情報または装置識別子で特定される映像送信装置が送信した映像である。なお、映像出力部１０６は、映像撮影部１０８が撮影した映像を出力しても良い。かかる場合、映像出力部１０６が、「映像撮影部１０８が撮影した映像」を出力している場合に、指示受付部１０５が指示を受け付けたと判断したら、映像出力部１０６は、「映像撮影部１０８が撮影した映像」から、「当該受け付けた指示に対応する映像」に切り替えて、「当該受け付けた指示に対応する映像」を出力しても良い。
【００２５】
また、「出力」とは、例えば、ディスプレイへの表示、また外部装置への出力、印刷等である。映像をディスプレイに表示する場合、映像出力部１０６は、ディスプレイとそのドライバーソフト等で実現されうる。ディスプレイは、ＣＲＴ、液晶ディスプレイ、有機ＥＬディスプレイ、プラズマディスプレイなど何でも良い。また、外部装置に映像を出力する場合、映像出力部１０６は、例えば、ネットワークカードとそのドライバーソフト等で実現されうる。また、映像を印刷する場合、映像出力部１０６は、例えば、プリンターとそのドライバーソフト等で実現されうる。
【００２６】
装置情報格納部１０７は、映像出力装置１００の装置識別子を格納している。また、装置情報格納部１０７は、映像出力装置１００の装置識別子と、当該映像出力装置１００の位置を示す情報である位置情報とを有する装置情報を格納していても良い。なお、位置情報は、例えば、ＧＰＳ、ｇｐｓＯｎｅ等によって取得された経度緯度等の情報でも良い。また、位置情報は、例えば、タッチパネル等の入力受付手段（図示しない）によって受け付けられた、例えば、住所、場所識別ＩＤ等であっても良い。装置情報格納部１０７は、不揮発性の記録媒体が好適であるが、揮発性の記録媒体であっても良い。
【００２７】
映像撮影部１０８は、映像を撮影する。映像撮影部１０８は、例えば、ＣＣＤカメラ、ＣＭＯＳカメラ及びそれら各々の制御ソフト等で実現されうる。また、映像撮影部１０８は、例えば、ＴＶカメラ、デジタルビデオカメラ、デジタルハイビジョンカメラ、カメラ付き携帯電話のカメラ等で実現されうる。
【００２８】
撮影映像蓄積部１０９は、映像撮影部１０８が撮影した映像を、撮影映像格納部１１０に蓄積する。「蓄積」とは、一時蓄積を含む概念である。撮影映像蓄積部１０９は、通常、ＭＰＵやメモリ等から実現され得る。「蓄積する」ための処理手順は、通常、ソフトウェアで実現され、当該ソフトウェアはＲＯＭ等の記録媒体に記録されている。但し、ハードウェア（専用回路）で実現しても良い。
【００２９】
撮影映像格納部１１０は、映像撮影部１０８が撮影した映像を格納している。撮影映像格納部１１０は、不揮発性の記録媒体が好適であるが、揮発性の記録媒体であっても良い。なお、撮影映像格納部１１０と装置情報格納部１０７と第一格納部１０４は、同一の記録媒体であっても良い。
【００３０】
映像送信部１１１は、装置識別子と映像の組を送信する。送信先は、特定の外部装置であっても良く、不特定の外部装置でも良い。映像送信部１１１は、例えば、通信手段、放送手段等で実現されうる。なお、通信手段は、例えば、無線通信手段、有線通信手段等のいずれであっても良い。無線通信技術は、例えば、Ｂｌｕｅｔｏｏｔｈ等でもよいが、特に問わない。
【００３１】
装置情報送信部１１２は、装置識別子と位置情報を有する装置情報を送信する。送信先は、特定の外部装置であっても良く、不特定の外部装置でも良い。装置情報送信部１１２は、例えば、通信手段、放送手段等で実現されうる。なお、通信手段は、例えば、無線通信手段、有線通信手段等のいずれであっても良い。無線通信技術は、例えば、Ｂｌｕｅｔｏｏｔｈ等でもよいが、特に問わない。
なお、装置情報送信部１１２と映像送信部１１１は、同一の通信手段、放送手段等で実現されても良い。
【００３２】
第二格納部２０１は、第二蓄積部２０３が蓄積した装置情報を格納している。また、第二格納部２０１は、第二蓄積部２０３が蓄積した映像を格納している。「装置情報」は、例えば、映像を撮影した装置の位置を特定する情報である位置情報と、映像を送信する映像送信装置２００を識別する装置識別子を有する。「映像を撮影した装置」は、映像送信装置２００であっても良く、その他の撮影装置であっても良い。映像送信装置２００が、外部の撮影装置から映像を受信する場合、映像送信装置２００は、映像を受信する映像受信手段を有する。映像受信手段は、例えば、ネットワークカードとそのドライバーソフト等で実現されうる。第二格納部２０１は、不揮発性の記録媒体が好適であるが、揮発性の記録媒体で実現されても良い。
【００３３】
送受信部２０２は、装置識別子と映像を組にして、映像出力装置１００に送信する。また、送受信部２０２は、装置情報を映像出力装置１００に送信する。また、送受信部２０２は、映像出力装置１００から装置識別子と映像の組を受信する。また、送受信部２０２は、映像出力装置１００から装置識別子と位置情報を有する装置情報を受信する。送受信部２０２は、例えば、通信手段、放送手段、放送を受信する手段等で実現されうる。なお、通信手段は、例えば、無線通信手段、有線通信手段等のいずれであっても良い。無線通信技術は、例えば、Ｂｌｕｅｔｏｏｔｈ等でもよいが、特に問わない。
【００３４】
第二蓄積部２０３は、撮影部２０４が撮影した映像を、第二格納部２０１に蓄積する。また、第二蓄積部２０３は、送受信部２０２が受信した装置情報を、第二格納部２０１に蓄積する。「蓄積」とは、一時蓄積を含む概念である。第二蓄積部２０３は、通常、ＭＰＵやメモリ等から実現され得る。「蓄積する」ための処理手順は、通常、ソフトウェアで実現され、当該ソフトウェアはＲＯＭ等の記録媒体に記録されている。但し、ハードウェア（専用回路）で実現しても良い。
【００３５】
撮影部２０４は、映像を撮影する。撮影部２０４は、例えば、ＣＣＤカメラ、ＣＭＯＳカメラ及びそれら各々の制御ソフト等で実現されうる。また、撮影部２０４は、例えば、ＴＶカメラ、デジタルビデオカメラ、デジタルハイビジョンカメラ、カメラ付き携帯電話のカメラ等で実現されうる。なお、撮影部２０４は、あってもなくても良い。
【００３６】
以下、本実施の形態における映像出力装置１００の動作について図２のフローチャートを用いて説明する。なお、指示受付部１０５が受け付けた位置情報または装置識別子で識別される映像送信装置から映像を受信し、当該映像を出力する動作と、映像を撮影し送信する動作と、装置情報を送信する動作について説明する。
【００３７】
（ステップＳ２０１）装置情報受信部１０１は、装置情報を受信したか否かを判断する。装置情報受信部１０１が装置情報を受信したと判断した場合、ステップＳ２０２に行き、そうでないと判断した場合、ステップＳ２０３にいく。なお、装置情報受信部１０１は、１以上の装置情報を受信する。
【００３８】
（ステップＳ２０２）第一蓄積部１０３は、ステップＳ２０１で受信した装置情報を、第一格納部１０４に蓄積する。ステップＳ２０１に戻る。なお、第一蓄積部１０３は、装置情報受信部１０１が受信した１以上の装置情報を全て蓄積しなくても良い。かかる場合、装置情報受信部１０１は、受信した装置情報が所定の条件を満足する場合に、装置情報を蓄積しても良い。「所定の条件を満足する場合」とは、例えば、装置属性情報が高画質の映像である場合等である。
【００３９】
（ステップＳ２０３）指示受付部１０５は、位置情報または装置識別子を特定する指示を受け付けたか否かを判断する。指示受付部１０５が位置情報または装置識別子を特定する指示を受け付けたと判断した場合、ステップＳ２０４に行き、そうでないと判断した場合、ステップＳ２１１にいく。
【００４０】
（ステップＳ２０４）映像出力部１０６は、映像出力部１０６のメモリを初期化する。
【００４１】
（ステップＳ２０５）映像受信部１０２は、ステップＳ２０３で特定した映像送信装置から装置識別子と映像の組を受信したか否かを判断する。映像受信部１０２が装置識別子と映像の組を受信したと判断した場合、ステップＳ２０６に行き、そうでないと判断した場合、ステップＳ２０９にいく。
【００４２】
（ステップＳ２０６）第一蓄積部１０３は、ステップＳ２０５で受信した装置識別子と映像の組を、第一格納部１０４に一時蓄積する。
【００４３】
（ステップＳ２０７）映像出力部１０６は、ステップＳ２０６で蓄積された映像を、第一格納部１０４から取得する。次に、映像出力部１０６は、取得した映像を出力する。例えば、映像出力部１０６は、映像を液晶ディスプレイに表示する。なお、映像出力部１０６が、「映像撮影部１０８が撮影した映像」を液晶ディスプレイに表示している場合に、指示受付部１０５が指示を受け付けたと判断したら、映像出力部１０６は、「映像撮影部１０８が撮影した映像」から、当該「受け付けた指示に対応する映像」に切り替えて、当該映像を液晶ディスプレイに表示する。また、映像出力部１０６は、「受け付けた指示に対応する映像」を液晶ディスプレイに表示している場合に、指示受付部１０５が「映像撮影部１０８が撮影した映像」を特定する指示を受け付けたと判断したら、映像出力部１０６は、「受け付けた指示に対応する映像」から、「映像撮影部１０８が撮影した映像」に切り替えて、当該映像を液晶ディスプレイに表示しても良い。
【００４４】
（ステップＳ２０８）映像出力部１０６は、映像の出力を停止する指示を受け付けたか否かを判断する。映像出力部１０６が映像の出力を停止する指示を受け付けたと判断した場合、ステップＳ２０１に行き、そうでないと判断した場合、ステップＳ２０５にいく。
【００４５】
（ステップＳ２０９）映像受信部１０２は、タイムアウトか否かを判断する。映像受信部１０２がタイムアウトであると判断した場合、ステップＳ２１０に行き、そうでないと判断した場合、ステップＳ２０５にいく。
【００４６】
（ステップＳ２１０）映像出力部１０６は、エラー表示する。ステップＳ２０１に戻る。
（ステップＳ２１１）図示しない指示受付手段は、映像を撮影する指示を受け付けたか否かを判断する。指示受付手段が映像を撮影する指示を受け付けたと判断した場合、ステップＳ２１２に行き、そうでないと判断した場合、ステップＳ２１４にいく。
【００４７】
（ステップＳ２１２）映像撮影部１０８は、映像を撮影する。
（ステップＳ２１３）撮影映像蓄積部１０９は、ステップＳ２１２で撮影された映像を、撮影映像格納部１１０に一時蓄積する。ステップＳ２０１に戻る。
【００４８】
（ステップＳ２１４）図示しない指示受付手段は、映像を送信する指示を受け付けたか否かを判断する。指示受付手段が映像を送信する指示を受け付けたと判断した場合、ステップＳ２１３に行き、そうでないと判断した場合、ステップＳ２２２にいく。「映像を送信する指示の受け付け」は、例えば、ユーザがボタンを押下したことを受け付けること、または映像出力装置等から「映像を送信する指示」を受け付けること（受信すること）等でもよい。
【００４９】
（ステップＳ２１５）映像送信部１１１は、撮影映像格納部１１０に映像が存在するか否かを判断する。映像送信部１１１が撮影映像格納部１１０に映像が存在すると判断した場合、ステップＳ２１６に行き、そうでない場合、ステップＳ２２０に行く。
【００５０】
（ステップＳ２１６）映像送信部１１１は、映像を、撮影映像格納部１１０から取得する。
（ステップＳ２１７）映像送信部１１１は、装置識別子を装置情報格納部１０７から取得する。
【００５１】
（ステップＳ２１８）映像送信部１１１は、ステップＳ２１７で取得された装置識別子と、ステップＳ２１６で取得された映像を組にして、映像送信装置２００に送信する。ステップＳ２０１に戻る。
【００５２】
（ステップＳ２１９）映像送信部１１１は、装置識別子と映像の組の送信を停止する指示を受け付けたか否かを判断する。映像送信部１１１が装置識別子と映像の組の送信を停止する指示を受け付けたと判断した場合、ステップＳ２０１に行き、そうでないと判断した場合、ステップＳ２１６にいく。
【００５３】
（ステップＳ２２０）映像撮影部１０８は、映像を撮影する。
（ステップＳ２２１）撮影映像蓄積部１０９は、ステップＳ２２０で撮影された映像を、撮影映像格納部１１０に一時蓄積する。ステップＳ２１６に戻る。なお、映像出力部１０６は、撮影映像格納部１１０に格納されている映像を取得し、液晶ディスプレイに表示しても良い。
【００５４】
（ステップＳ２２２）図示しない指示受付手段は、装置情報を送信する指示を受け付けたか否かを判断する。指示受付手段が装置情報を送信する指示を受け付けたと判断した場合、ステップＳ２２２３に行き、そうでないと判断した場合、ステップＳ２２５にいく。「装置情報を送信する指示の受け付け」は、例えば、外部装置から「装置情報を送信する指示」を受け付けること（受信すること）等でもよい。
【００５５】
（ステップＳ２２３）装置情報送信部１１２は、装置情報を、装置情報格納部１０７から取得する。
（ステップＳ２２４）装置情報送信部１１２は、ステップＳ２２３で取得された装置情報を、映像送信装置２００に送信する。ステップＳ２０１に戻る。
【００５６】
（ステップＳ２２５）映像出力装置１００の終了指示受付手段（図示せず）は、終了する指示を受け付けたか否かを判断する。終了指示受付手段が終了する指示を受け付けたと判断した場合、終了し、そうでないと判断した場合、ステップＳ２０１に戻る。終了指示受付手段は、例えば、スイッチ等である。「終了する指示」とは、例えば、終了指示受付手段がＯＮ／ＯＦＦスイッチである場合に、当該スイッチをＯＦＦ状態にすることである。
【００５７】
また、以下において、映像受信部１０２が２以上の映像送信装置から映像と装置識別子の組を受信する動作と、映像出力部１０６が、指示受付部１０５が受け付けた位置情報または装置識別子で識別される映像送信装置が送信した映像を出力する動作について図３のフローチャートを用いて説明する。
【００５８】
（ステップＳ３０１）装置情報受信部１０１は、装置情報を受信したか否かを判断する。装置情報受信部１０１が装置情報を受信したと判断した場合、ステップＳ３０２に行き、そうでないと判断した場合、ステップＳ３０３にいく。
【００５９】
（ステップＳ３０２）第一蓄積部１０３は、ステップＳ３０１で受信した装置情報を、第一格納部１０４に蓄積する。ステップＳ３０１に戻る。
【００６０】
（ステップＳ３０３）映像受信部１０２は、装置識別子と映像の組を受信したか否かを判断する。映像受信部１０２が装置識別子と映像の組を受信したと判断した場合、ステップＳ３０４に行き、そうでないと判断した場合、ステップＳ３０５にいく。映像受信部１０２が２以上の映像送信装置から装置識別子と映像の組を受信する場合、通信方式は、例えば、コネクションレス型のパケット交換方式等でも良い。なお、映像受信部１０２が一の映像送信装置から装置識別子と映像の組を受信する場合、通信方式は、例えば、コネクション型の回線交換方式等でも良い。
【００６１】
（ステップＳ３０４）第一蓄積部１０３は、ステップＳ３０３で受信した装置識別子と映像の組を、第一格納部１０４に一時蓄積する。ステップＳ３０１に戻る。
【００６２】
（ステップＳ３０５）指示受付部１０５は、位置情報または装置識別子を特定する指示を受け付けたか否かを判断する。指示受付部１０５が位置情報または装置識別子を特定する指示を受け付けたと判断した場合、ステップＳ３０６に行き、そうでないと判断した場合、ステップＳ３０９にいく。
【００６３】
（ステップＳ３０６）映像出力部１０６は、ステップＳ３０５で受け付けた指示に対応する映像を、第一格納部１０４から取得する。具体的には、映像出力部１０６は、装置識別子をキーに、映像を検索する。なお、第一格納部１０４が映像を格納していない場合、映像出力部１０６は、エラー表示をし、ステップＳ３０１に戻る。
【００６４】
（ステップＳ３０７）映像出力部１０６は、ステップＳ３０６で取得された映像を出力する。例えば、映像出力部１０６は、映像を液晶ディスプレイに表示する。ステップＳ３０１に戻る。なお、映像出力部１０６が、「映像撮影部１０８が撮影した映像」を液晶ディスプレイに表示している場合に、指示受付部１０５が指示を受け付けたと判断したら、映像出力部１０６は、「映像撮影部１０８が撮影した映像」から、「当該受け付けた指示に対応する映像」に切り替えて、当該映像を液晶ディスプレイに表示する。
【００６５】
（ステップＳ３０８）映像出力部１０６は、映像の出力を停止する指示を受け付けたか否かを判断する。映像出力部１０６が映像の出力を停止する指示を受け付けたと判断した場合、ステップＳ３０１に行き、そうでないと判断した場合、ステップＳ３０６にいく。
【００６６】
（ステップＳ３０９）映像出力装置１００の終了指示受付手段（図示せず）は、終了する指示を受け付けたか否かを判断する。終了指示受付手段が終了する指示を受け付けたと判断した場合、終了し、そうでないと判断した場合、ステップＳ３０１に戻る。終了指示受付手段は、例えば、スイッチ等である。「終了する指示」とは、例えば、終了指示受付手段がＯＮ／ＯＦＦスイッチである場合に、当該スイッチをＯＦＦ状態にすることである。
【００６７】
以下、本実施の形態における映像出力装置１００の具体的な動作について説明する。図４は、野球場の例を示す図である。図４において、野球場の内野席スタンドに、映像出力装置１００がある。また、外野席スタンドに第一映像送信装置２００１がある。また、ネット裏の観客席に第二映像送信装置２００２がある。
【００６８】
以下に、第一映像送信装置２００１が装置識別子と位置情報を有する装置情報を送信する動作について説明する。第二格納部２０１は、第一映像送信装置２００１を識別する装置識別子と、第一映像送信装置２００１の位置を示す位置情報を格納している。図５は、装置識別子と位置情報のデータ例を示す図である。図５において、装置識別子は、「２１０．１４５．１０８．１８」である。また、位置情報は、例えば、経度緯度の情報「東経１３５度４４分０４秒、北緯３４度４４分４０秒」である。位置情報である経度緯度の情報は、例えば、ＧＰＳ、ｇｐｓＯｎｅ等で取得されうる。
【００６９】
指示受付手段（図示しない）が装置情報を送信する指示を受け付けたと判断した場合、送受信部２０２は、装置識別子と位置情報を、第二格納部２０１から取得する。なお、指示受付手段が、例えば、スイッチ等である場合、「送信する指示」は、例えば、スイッチをＯＮにすること等である。次に、送受信部２０２は、映像出力装置１００を識別する装置識別子「２１０．１４５．１０８．３０」を、映像送信装置の記録媒体から取得する。次に、送受信部２０２は、取得した装置識別子と位置情報を有する装置情報を、装置識別子「２１０．１４５．１０８．３０」で識別される映像出力装置１００に送信する。そして、映像出力装置１００の装置情報受信部１０１は、装置情報を受信する。第一蓄積部１０３は、当該受信した装置情報を第一格納部１０４に蓄積する。
【００７０】
なお、装置情報を送信する通信方式は、コネクション型の通信方式であってもよく、コネクションレス型の通信方式でもよい。
【００７１】
また、装置情報は、装置識別子と位置情報のみでなく、その他の情報、例えば、装置属性情報等を有しても良い。
【００７２】
また、送受信部２０２は、映像出力装置１００を識別する装置識別子「２１０．１４５．１０８．３０」を取得し、当該装置識別子で識別される映像出力装置１００に装置情報を送信するものだったが、送受信部２０２は、その他の映像出力装置を識別する装置識別子を１以上取得し、当該１以上の装置識別子で識別される各々の映像出力装置に装置情報を送信するものでも良い。
【００７３】
また、送受信部２０２は、映像出力装置１００を識別する装置識別子「２１０．１４５．１０８．３０」を取得し、当該装置識別子で識別される映像出力装置１００に装置情報を送信するものだったが、送受信部２０２は、装置識別情報を取得せずに、装置情報を放送するものでも良い。かかる場合、装置情報受信部１０１は、放送を受信する手段で構成され、装置識別情報を受信する。
【００７４】
次に、第一映像送信装置２００１が装置識別子と映像の組を送信する動作について説明する。第二格納部２０１は、映像を格納している。映像は、例えば、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）日米標準信号方式、ＨＤＴＶ（Ｈｉｇｈ  Ｄｅｆｉｎｉｔｉｏｎ  ＴｅｌｅＶｉｓｉｏｎ）方式、ＰＡＬ（Ｐｈａｓｅ  Ａｌｔｅｒｎａｔｉｏｎ  ｂｙ  Ｌｉｎｅ）信号方式、ＳＥＣＡＭ（ＳＥｑｕｅｎｔｉａｌ  Ｃｏｕｌｅｕｒ  Ａ  Ｍｅｍｏｉｒｅ）信号方式等で撮影されたものである。第二格納部２０１は、例えば、ＭｉｎｉＤＶカセット等である。なお、映像の記録形式は、特に問わず、例えば、ＭＰＥＧ−２、ＭＰＥＧ−４、ＭＰＥＧ−７、ＤＶ形式等であっても良い。
【００７５】
指示受付手段（図示しない）は、「装置識別子と映像の組を送信する指示」を映像出力装置１００から受信する。「装置識別子と映像の組を送信する指示」には、映像出力装置１００を識別する識装置別子「２１０．１４５．１０８．３０」が含まれている。次に、送受信部２０２は、装置識別子「２１０．１４５．１０８．１８」と映像を、第二格納部２０１から取得する。次に、送受信部２０２は、取得した装置識別子と映像の組を、識装置別子「２１０．１４５．１０８．３０」で識別される映像出力装置１００に送信する。図６は、装置識別子と映像の組の例を示す図である。なお、装置識別子の映像の組のデータ構造は、図６に示すデータ構造に限定されず、その他のデータ構造でも良い。
【００７６】
なお、装置識別子と映像の組を送信する通信方式は、コネクション型の通信方式であってもよく、コネクションレス型の通信方式でもよい。
【００７７】
また、送受信部２０２は、映像出力装置１００を識別する装置識別子「２１０．１４５．１０８．３０」を取得し、当該装置識別子で識別される映像出力装置１００に装置情報を送信するものだったが、送受信部２０２は、装置識別情報を取得せずに、装置情報を放送するものでも良い。かかる場合、映像受信部１０２は、放送を受信する手段で構成され、装置識別子と映像の組を受信する。
【００７８】
また、指示受付手段が「装置識別子と映像の組を送信する指示」を映像出力装置１００から受信した場合に、送受信部２０２は、装置識別子と映像の組を送信するものだったが、送受信部２０２は、指示受付手段が「装置識別子と映像の組を送信する指示」を映像出力装置１００から受信しなくても、装置識別子と映像の組を送信または放送するものでも良い。かかる場合、指示受付手段は、例えば、スイッチ等で構成され、「送信または放送する指示」は、例えば、スイッチをＯＮにすること等である。
【００７９】
なお、第二格納部２０１に格納されている映像は、撮影部２０４が撮影したものでも良く、外部の撮影装置が撮影したものでも良い。撮影部２０４が映像を撮影した場合、第二蓄積部２０３は、当該映像を第二格納部２０１に蓄積する。
【００８０】
また、撮影部２０４が撮影を開始する直前、または直後に、ＧＰＳまたはｇｐｓＯｎｅは、経度緯度の情報（位置情報）を取得し、第二格納部２０２に格納する。
【００８１】
また、外部の撮影装置が映像を撮影した場合、送受信部２０２は、外部の撮影装置が撮影した映像と、当該外部の撮影装置が映像を撮影した位置を示す位置情報を受信する。次に、第二蓄積部２０３は、当該受信された映像と位置情報を第二格納部２０１に蓄積する。なお、第二蓄積部２０３は、当該受信された映像を一時蓄積しても良い。
【００８２】
第二映像送信装置２００２の動作は、上記で説明した第一映像送信装置２００１の動作と同様であるので説明は省略する。
【００８３】
以下に、映像出力装置１００が装置識別子と位置情報を受信する動作について説明する。装置情報受信部１０１は、第一映像送信装置２００１または／および第二映像送信装置２００２が送信した装置識別子と位置情報を有する装置情報を受信する。第一蓄積部１０３は、当該受信された装置情報を第一格納部１０４に蓄積する。図７は、蓄積された装置情報の例を示す図である。図７において、装置識別子「２１０．１４５．１０８．１８」と位置情報「東経１３５度４４分０４秒、北緯３４度４４分４０秒」は、第一映像送信装置２００１の装置識別子と位置情報である。また、装置識別子「２１０．１４５．１０８．２３」と位置情報「東経１３５度４４分０５秒、北緯３４度４４分４１秒」は、第二映像送信装置２００２の装置識別子と位置情報である。
【００８４】
次に、指示受付部１０５が装置識別子または位置情報を特定する指示を受け付ける動作について説明する。図８において、液晶ディスプレイ１０６１には、位置情報および装置識別子が表示されている。この液晶ディスプレイ１０６１には、タッチパネルが取り付けられている。ユーザが、装置識別子または位置情報をタッチする。かかる「ユーザが、装置識別子または位置情報をタッチする」ことは、指示受付部１０５が装置識別子または位置情報を特定する指示をすることを意味する。
【００８５】
次に、映像出力部１０６が映像を出力する動作について説明する。指示受付部１０５が、例えば、装置識別子「２１０．１４５．１０８．１８」を特定する指示を受け付けたと判断した場合、映像受信部１０２は、装置識別子「２１０．１４５．１０８．１８」で識別される第一映像送信装置２００１から、装置識別子と映像の組を受信する。通信方式は、上記で説明したので、ここでの説明は省略する。第一蓄積部１０３は、第一格納部１０４に、当該受信された装置識別子と映像の組を一時蓄積する。次に、映像出力部１０６は、当該蓄積された映像を第一格納部１０４から取得する。そして、映像出力部１０６は、当該取得された映像を液晶ディスプレイ１０６１に表示する。図９は、映像の表示例を示す図である。図９において、映像は、外野席スタンドから撮影された映像である。
【００８６】
なお、本実施の形態において、映像受信部１０２は、指示受付部１０５が受け付けた指示の装置識別子または位置情報で特定される映像送信装置から映像と装置識別子の組を受信するものだったが、映像受信部１０２は、２以上の映像送信装置から映像と装置識別子の組を受信しても良い。かかる場合、第一蓄積部１０３は、受信された映像と装置識別子の組を第一格納部１０４に一時蓄積する。映像出力部１０６は、指示受付部１０５が受け付けた指示の装置識別子または位置情報をキーに、映像を検索する。次に、映像出力部１０６は、検索した映像を液晶ディスプレイに表示する。
【００８７】
以下に、映像撮影部１０８が映像を撮影する動作について説明する。入力受付手段（図示しない）が映像の撮影を開始する指示の入力を受け付けたと判断した場合、映像撮影部１０８は、撮影を開始する。撮影された映像は、内野席スタンドから撮影された映像である。次に、撮影映像蓄積部１０９は、当該撮影された映像を、撮影映像格納部１１０に蓄積する。撮影映像格納部１１０は、例えば、ＭｉｎｉＤＶカセットである。映像は、例えば、ＮＴＳＣ日米標準信号方式、または、ＨＤＴＶ方式等で撮影されたものである。なお、映像の記録形式は、特に問わず、例えば、ＭＰＥＧ−２、ＭＰＥＧ−４、ＭＰＥＧ−７、ＤＶ形式等であっても良い。
【００８８】
映像撮影部１０８が映像の撮影を開始した後、ＧＰＳまたはｇｐｓＯｎｅは、経度緯度の情報（位置情報）を取得し、第一格納部１０４に格納する。図１０は、装置識別子の例を示す図である。図１０において、映像出力装置１００の装置識別子は、「２１０．１４５．１０８．３０」である。
【００８９】
なお、入力受付手段（図示しない）は、高画質の映像を撮影する指示または標準画質の映像を撮影する指示を受け付けても良い。入力受付手段が高画質の映像を撮影する指示の入力を受け付けたと判断した場合、映像撮影部１０８は、高画質の映像を撮影する。また、入力受付手段が標準画質の映像を撮影する指示の入力を受け付けたと判断した場合、映像撮影部１０８は、標準画質の映像を撮影する。高画質の映像は、例えば、ＨＤＴＶ方式等で撮影されたものである。標準画質の映像は、例えば、ＮＴＳＣ日米標準信号方式で撮影されたものである。
【００９０】
次に、映像送信部１１１が、装置識別子と映像の組を送信する動作について説明する。指示受付手段（図示しない）が、装置識別子と映像の組を送信する指示の入力を受け付けたと判断した場合、映像送信部１１１は、装置情報格納部１０７から装置識別子を取得する。次に、映像送信部１１１は、映像を撮影映像格納部１１０から取得する。次に、映像送信部１１１は、装置識別子と映像の組を第一映像送信装置２００１または／および第二映像送信装置２００２に送信する。図１１は、送信される装置識別子と映像の組の例を示す図である。なお、指示受付手段は、送信先を特定する指示の入力を受け付けても良い。かかる場合、映像送信部１１１は、装置識別子と映像の組を、当該特定された装置に送信する。なお、指示受付手段は、例えば、タッチパネルとその制御ソフト等で実現されうる。また、指示受付手段は、例えば、通信手段で構成され、映像送信装置が送信した「装置識別子と映像の組を送信する指示」を受信するものでも良い。
【００９１】
また、映像撮影部１０８が撮影を開始したことが、「装置識別子と映像の組を送信する指示」であっても良い。かかる場合、映像送信部１１１は、映像撮影部１０８が撮影した映像を取得する。そして、映像送信部１１１は、装置識別子を取得し、当該取得した装置識別子と取得した映像の組を第一映像送信装置２００１または／および第二映像送信装置２００２に送信する。
【００９２】
次に、装置情報送信部１１２が装置情報を送信する動作について説明する。指示受付手段（図示しない）が、装置情報を送信する指示の入力を受け付けたと判断した場合、装置情報送信部１１２は、装置情報格納部１０７から装置識別子と位置情報を有する装置情報を取得する。図１２は、装置情報のデータ例を示す図である。図１２において、装置識別子は、「２１０．１４５．１０８．３０」である。また、位置情報は、例えば、経度緯度の情報「東経１３５度４４分０４秒、北緯３４度４４分４０秒」である。なお。装置識別子は、例えば、電話番号「０９０１２３４５６７８」等でも良い。また、位置情報は、例えば、「甲子園球場内野席スタンドＣ−３４席」等の場所を特定する情報でも良い。
【００９３】
なお、指示受付手段は、例えば、タッチパネルとその制御ソフト等で構成されうる。また、指示受付手段は、例えば、通信手段で構成され、映像送信装置が送信した「装置情報を送信する指示」を受信するものでも良い。
【００９４】
なお、本実施の形態において、映像出力装置１００は、装置情報格納部１０７、映像撮影部１０８、撮影映像蓄積部１０９、撮影映像格納部１１０、映像送信部１１１、装置情報送信部１１２を有するものだったが、映像出力装置１００は、装置情報格納部１０７、映像撮影部１０８、撮影映像蓄積部１０９、撮影映像格納部１１０、映像送信部１１１、装置情報送信部１１２を有しなくても良い。
【００９５】
また、本実施の形態において、撮影部２０４が撮影を開始する直前、または直後に、ＧＰＳまたはｇｐｓＯｎｅは、経度緯度の情報（位置情報）を取得するものだったが、ＧＰＳまたはｇｐｓＯｎｅは、撮影部２０４が撮影している間に、所定の頻度で位置情報を取得するものでもよい。「所定の頻度で取得する」とは、例えば、一定の期間（例えば、１０秒、５分、１０分、１時間等）が経過する毎に取得することを意味する。かかる場合、送受信部２０２は、所定の頻度で取得された位置情報を映像出力装置１００に送信しても良い。そして、映像出力装置１００の装置情報受信部１０１は、当該位置情報を受信する。次に、第一蓄積部１０３は、当該位置情報を第一格納部１０４に蓄積する。そして、表示部に、当該蓄積された位置情報が表示される。このことにより、ユーザは、映像を撮影する映像送信装置の位置の移動状況を簡単かつ正確に把握でき、映像送信装置を容易に選択することができるようになる。
【００９６】
また、本実施の形態において、指示受付部１０５は、さらに、高画質の映像、または標準画質の映像を受信する指示を受け付けても良い。かかる場合、装置情報受信部１０１は、高画質の映像または標準画質の映像であることを示す装置属性情報を有する装置情報のみを受信してもよい。または、装置情報受信部１０１は、上記で説明したように選択的に装置識別子を受信せず、全ての装置識別子を受信し、第一蓄積部１０３が高画質の映像または標準画質の映像であることを示す装置属性情報を有する装置情報のみを第一格納部１０４に蓄積しても良い。映像出力部１０６は、当該蓄積された装置情報を取得し、液晶ディスプレイに表示する。そして、ユーザが、液晶ディスプレイに表示された装置情報をタッチすると、映像受信部１０２は、タッチされた装置情報で特定される映像送信装置から映像を受信する。当該受信された映像は、映像出力部１０６によって、液晶ディスプレイに表示される。
【００９７】
例えば、指示受付部１０５が高画質の映像を受信する指示を受け付けたと判断した場合、装置情報受信部１０１は、高画質の映像であることを示す装置属性情報を有する装置情報のみを受信する。次に、第一蓄積部１０３は、当該装置情報を第一格納部１０４に蓄積する。次に、映像出力部１０６は、当該第一格納部１０４に蓄積された装置情報を取得し、液晶ディスプレイに表示する。そして、ユーザが、液晶ディスプレイに表示された装置情報をタッチすると、映像受信部１０２は、タッチされた装置情報で特定される映像送信装置から、高画質の映像を受信する。なお、「高画質の映像」とは、例えば、ＨＤＴＶ方式で撮影されたものであり、走査線が１１２５本または１２５０本である。
【００９８】
また、例えば、指示受付部１０５が標準画質の映像を受信する指示を受け付けたと判断した場合、第一蓄積部１０３は、標準画質の映像であることを示す装置属性情報を有する装置情報のみを第一格納部１０４に蓄積する。なお、装置情報受信部１０１は、装置属性情報が標準画質の映像を示す情報を有するか否か、また高画質の映像を示す情報を有するか否かを判断せず、装置情報を受信する。次に、映像出力部１０６は、当該第一格納部１０４に蓄積された装置情報を取得し、液晶ディスプレイに表示する。そして、ユーザが、液晶ディスプレイに表示された装置情報をタッチすると、映像受信部１０２は、タッチされた装置情報で特定される映像送信装置から、標準画質の映像を受信する。なお、「標準画質の映像」とは、例えば、ＮＴＳＣ日米標準信号方式で撮影されたものであり、走査線が５２５本である。
【００９９】
以上、本実施の形態によれば、異なる場所で撮影された映像をリアルタイムで取得し、出力できる。具体的には、例えば、内野席スタンドから撮影した映像と、外野席スタンドから撮影した映像を相互に送受信できる。内野席スタンドのユーザは、内野席スタンドにいながら外野席スタンドから撮影された映像を見ることができ、かつ、外野席スタンドのユーザは、外野席スタンドにいながら内野席スタンドから撮影された映像を見ることができる。なお、野球観戦に限らず、例えば、プロレス観戦、ゴルフ観戦等でも同様に、異なる場所で撮影された映像を見ることができる。
【０１００】
なお、本実施の形態において、映像出力装置１００は、映像を受信し、出力するものだったが、映像出力装置１００は、さらに、音声の情報を受信し、出力しても良い。なお、音声の情報と映像の情報は、対応付けられて、例えば、多重化されて受信される。かかる場合、映像出力装置１００は、音声の情報を受信する音声受信手段と、当該受信された音声を出力する音声出力手段をさらに有する。多重化された映像と音声の情報を受信する場合、音声受信手段と映像受信部は、同一の通信手段で実現されても良い。なお、かかることは、その他の実施の形態においても同様である。
【０１０１】
また、本実施の形態において、映像出力装置１００は、映像を撮影し、送信するものだったが、映像出力装置１００は、さらに、音声の入力を受け付け、当該音声の情報を出力しても良い。なお、音声の情報と映像の情報は、対応付けられて、例えば、多重化されて出力される。かかる場合、映像出力装置１００は、音声の入力を受け付ける音声入力受付手段と、当該受け付けられた音声の情報を出力する音声情報出力手段をさらに有する。多重化された映像と音声の情報を出力する場合、音声情報出力手段と映像送信部は、同一の通信手段で実現されても良い。なお、かかることは、その他の実施の形態においても同様である。
【０１０２】
また、本実施の形態において、映像出力部１０６は、指示受付部１０５が受け付けた指示に対応する映像を出力するものだったが、映像出力部１０６は、ディスプレイを２以上のウインドウに分割し、当該ウインドウ毎に映像受信部１０２が受信した１以上の映像、映像撮影部１０８が撮影した映像等を表示してもよい。図１３において、ウインドウ毎に異なる映像が表示されている。なお、ウインドウ毎に表示される映像は、低画質（例えば、低解像度、モノクロ等）の映像でも良い。また、表示される映像は、映像を構成するフレームを連続的でなく断続的に表示するものでも良い。なお、かかる「ディスプレイを２以上のウインドウに分割して、その各々のウインドウ毎に異なる映像を表示する処理」は、従来技術であるので説明は省略する。ユーザは、ウインドウ毎に表示された映像に基づいて、見たい映像を決め、ユーザは、見たい映像を表示しているウインドウ上をタッチして、映像を特定しても良い。かかる「見たい映像を表示しているウインドウ上をタッチする」ことが、指示受付部１０５が指示を受け付けることを意味してもよい。かかることは、その他の実施の形態においても同様である。
また、本実施の形態において、位置情報は、経度緯度の情報であったが、位置情報は、所定の物を基点とした相対位置の情報でも良い。「所定の物を基点とした相対位置」とは、例えば、撮影の対象物を基点とした相対位置、映像送信装置を基点とした相対位置、映像出力装置を基点とした相対位置、撮影の対象物の近辺の内のいずれかの位置を基点とした相対位置等である。例えば、撮影の対象物を基点とした相対位置は、例えば、撮影の対象物からの距離と、撮影の対象物から見た方位角で示される。「撮影の対象物からの距離」と「撮影の対象物から見た方位角」を算出する方法は、従来技術であるのでここでの説明は省略する。また、「所定の物」とは、任意に決定されるものでも良く、例えば、野球場のピッチャーマウンド、プロレスのリング等である。かかることは、その他の実施の形態においても同様である。
【０１０３】
さらに、本実施の形態において説明した映像出力装置１００の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。なお、本実施の形態における動作をソフトウェアで実現した場合のプログラムは、以下のようになる。コンピュータに、映像を送信する映像送信装置を識別する装置識別子と当該映像を撮影した位置を特定する位置情報を有する装置情報を１以上受信する装置情報受信ステップと、装置識別子と、映像の組を受信する映像受信ステップと、位置情報または装置識別子を特定する指示を受け付ける指示受付ステップと、指示受付ステップで受け付けた指示に対応する映像を出力する映像出力ステップを実行させるためのプログラムである。
【０１０４】
また、コンピュータに、映像を撮影する映像撮影ステップと、装置識別子と映像の組を送信する映像送信ステップをさらに実行させるための上記記載のプログラムである。
【０１０５】
（実施の形態２）
本実施の形態において、映像出力装置が映像送信装置から装置情報を受信し、当該装置情報が示す装置の位置を視覚的に表示する動作について、以下に説明する。
【０１０６】
図１４は、本実施の形態における映像出力装置３００および映像送信装置２００の構成を示すブロック図である。映像出力装置３００は、装置情報受信部１０１、映像受信部１０２、指示受付部１０５、映像出力部１０６、装置情報格納部１０７、地図情報格納部３０１、地図情報表示部３０２、装置位置表示部３０３、装置指示受付部３０４、ＧＰＳ３０５を有する。
また、映像送信装置２００は、実施の形態１で説明したものと同様であるので、説明は省略する。
【０１０７】
地図情報格納部３０１は、地図情報を格納している。「地図情報」とは、地図を示す情報であり、例えば、地図のデータ、地図を特定する位置情報等を有する。地図情報格納部３０１は、不揮発性の記録媒体が好適であるが、揮発性の記録媒体でも良い。
【０１０８】
地図情報表示部３０２は、地図情報に基づいて地図を表示する。地図情報表示部３０２は、ディスプレイとそのドライバーソフト等で実現されうる。ディスプレイは、例えば、ＣＲＴ、液晶ディスプレイ、有機ＥＬディスプレイ、プラズマディスプレイなど何でも良い。
【０１０９】
装置位置表示部３０３は、地図情報表示部３０２が表示した地図上に映像送信装置の位置を視覚的に表示する。また、装置位置表示部３０３は、位置情報に基づいて装置識別子で識別される映像送信装置の位置を視覚的に表示しても良い。「視覚的に表示する」とは、後述する。装置位置表示部３０３は、ディスプレイとそのドライバーソフト等で実現されうる。ディスプレイは、例えば、ＣＲＴ、液晶ディスプレイ、有機ＥＬディスプレイ、プラズマディスプレイなど何でも良い。なお、装置位置表示部３０３と地図情報表示部３０２と映像出力部１０６のディスプレイは、同一のディスプレイであっても良い。
【０１１０】
装置指示受付部３０４は、位置が表示された映像送信装置に対する指示を受け付ける。装置指示受付部３０４は、通常、スイッチや、ボタン、タッチパネル等のユーザが入力指示をする手段により実現され得る。
【０１１１】
ＧＰＳ３０５は、位置情報を取得する。なお、「位置情報」は、経度緯度を示す情報である。次に、ＧＰＳ３０５は、当該取得した位置情報を装置情報格納部１０７に格納する。ＧＰＳ（Ｇｌｏｂａｌ  Ｐｏｓｉｔｉｏｎｉｎｇ  Ｓｙｓｔｅｍ）は、人工衛星を利用して自分が地球上のどこにいるのかを正確に割り出すシステムである。なお、ＧＰＳの具体的動作は、従来技術であるので、ここでの説明は省略する。
【０１１２】
以下、本実施の形態における映像出力装置３００の動作について図１５のフローチャートを用いて説明する。
【０１１３】
（ステップＳ１５０１）地図表示指示受付手段（図示しない）は、地図を表示する指示を受け付けたか否かを判断する。地図表示指示受付手段が当該指示を受け付けたと判断した場合、ステップＳ１５０２に行き、そうでないと判断した場合、ステップＳ１５０５にいく。
【０１１４】
（ステップＳ１５０２）地図情報表示部３０２は、映像出力装置３００の位置情報を、装置情報格納部１０７から取得する。また、地図情報表示部３０２は、ＧＰＳに経度緯度の情報を取得する命令をし、当該命令実行の結果、ＧＰＳが取得した位置情報を、取得しても良い。
【０１１５】
（ステップＳ１５０３）地図情報表示部３０２は、ステップＳ１５０２で取得された位置情報をキーに、地図情報を、地図情報格納部３０１から取得する。
（ステップＳ１５０４）地図情報表示部３０２は、ステップＳ１５０２で取得した地図情報に基づいて、地図を表示する。ステップＳ１５０１に戻る。
【０１１６】
（ステップＳ１５０５）装置情報受信部１０１は、装置情報を受信したか否かを判断する。装置情報受信部１０１が装置情報を受信したと判断した場合、ステップＳ１５０６に行き、そうでないと判断した場合、ステップＳ１５０７にいく。
【０１１７】
（ステップＳ１５０６）装置位置表示部３０３は、ステップＳ１５０４で表示した地図上に、ステップＳ１５０５で受信した装置識別子で識別される装置の位置を、視覚的に表示する。ステップＳ１５０１に戻る。
【０１１８】
（ステップＳ１５０７）装置指示受付部３０４は、ステップＳ１５０６で位置が表示された装置に対する指示を受け付けたか否かを判断する。装置指示受付部３０４が当該指示を受け付けたと判断した場合、ステップＳ１５０８に行き、そうでないと判断した場合、ステップＳ１５１０にいく。
【０１１９】
（ステップＳ１５０８）映像受信部１０２は、ステップＳ１５０７で特定した映像送信装置から装置識別子と映像の組を受信したか否かを判断する。映像受信部１０２が装置識別子と映像の組を受信したと判断した場合、ステップＳ２０６に行き、そうでないと判断した場合、ステップＳ２０９にいく。
（ステップＳ１５０９）映像出力部１０６は、ステップＳ１５０８で受信した映像をディスプレイに表示する。
【０１２０】
（ステップＳ１５１０）映像出力部１０６は、映像の出力を停止する指示を受け付けたか否かを判断する。映像出力部１０６が映像の出力を停止する指示を受け付けたと判断した場合、ステップＳ１５０１に行き、そうでないと判断した場合、ステップＳ１５０８にいく。
【０１２１】
（ステップＳ１５１１）映像受信部１０２は、タイムアウトか否かを判断する。映像受信部１０２がタイムアウトであると判断した場合、ステップＳ１５１２に行き、そうでないと判断した場合、ステップＳ１５０８に戻る。
【０１２２】
（ステップＳ１５１２）映像出力部１０６は、エラー表示する。ステップＳ１５０１に戻る。
【０１２３】
（ステップＳ１５１３）映像出力装置３００の終了指示受付手段（図示せず）は、終了する指示を受け付けたか否かを判断する。終了指示受付手段が終了する指示を受け付けたと判断した場合、終了し、そうでないと判断した場合、ステップＳ１５０１に戻る。終了指示受付手段は、例えば、スイッチ等である。「終了する指示」とは、終了指示受付手段が、例えば、ＯＮ／ＯＦＦスイッチである場合に、当該スイッチをＯＦＦ状態にすることである。
【０１２４】
以下、本実施の形態における映像出力装置３００の具体的な動作について説明する。図１６は、地図情報のデータ例を示す図である。図１６において、地図情報は、地図のデータ、位置情報を有する。位置情報は、例えば、緯度経度の情報、住所、特定の建築物、場所名等である。
【０１２５】
以下に、地図を表示する具体的方法について説明する。今、地図表示指示受付手段（図示しない）は、ボタンである。ユーザが当該ボタンを押下した場合、地図表示指示受付手段（図示しない）が地図を表示する指示を受け付けたと判断する。次に、ＧＰＳ３０５は、経度緯度の情報を取得し、装置情報格納部１０７に格納する。次に、地図表示部３０２は、経度緯度の情報を、装置情報格納部１０７から取得する。次に、地図表示部３０２は、当該取得した経度緯度の情報をキーに、地図情報格納部３０１から地図を検索する。地図表示部３０２は、例えば、「東経１３５度３４分１１秒、北緯３４度４３分１２秒」をキーに、当該緯度経度の値を含む範囲の地図を検索する。また、地図表示部３０２は、例えば、「東経１３５度３４分１１秒、北緯３４度４３分１２秒」を中心にして、例えば、半径数ｍから半径数ｋｍの範囲の地図を検索しても良い。次に、地図表示部３０２は、当該取得した地図を、液晶ディスプレイに表示する。図１７は、液晶ディスプレイの表示例を示す図である。図１７において、液晶ディスプレイ上に、ゴルフ場が表示されている。なお、地図情報表示部３０２は、自動的に、またはユーザからの入力指示の受け付けに応じて、地図の縮尺を変換して表示しても良い。
【０１２６】
以下に、映像送信装置の位置を視覚的に表示する具体的方法について説明する。今、映像送信装置と映像出力装置３００は、ゴルフ場に存在する。映像送信装置は、装置情報を、映像出力装置３００に送信する。なお、装置情報を送信する方法は、実施の形態１で説明した方法と同一であるので説明は省略する。映像出力装置３００の装置情報受信部１０１は、１以上の映像送信装置から装置情報を受信する。受信された装置情報は、装置属性情報、装置識別子、位置情報等を有する。「装置属性情報」は、装置の属性に関する情報であり、例えば、装置のメーカー名、装置の型式、映像の画質を示す情報、映像を撮影する信号方式等の情報である。
【０１２７】
次に、装置位置表示部３０３は、地図情報表示部３０２が表示した地図上に映像送信装置の位置を示す。装置位置表示部３０３は、当該地図上の位置情報「東経１３５度３２分１５秒、北緯３４度４３分１２秒」で特定される位置に、例えば、星印を表示する。図１８は、装置の位置を表示する表示例を示す図である。図１８において、映像送信装置の位置は、星印で示されている。また、他の映像送信装置の位置は、黒丸印で示されている。そして、装置位置表示部３０３は、黒丸印の側に、例えば、映像の画質を示す情報である「ハイビジョン」、メーカー名である「Ｖ社製」等を表示する。また、装置位置表示部３０３は、星印の側に、例えば、メーカー名である「Ｃ社製」等を表示する。なお、映像送信装置の位置は、例えば、星印、黒丸印等で示されたが、その他のマークで示されても良く、装置識別子で示されても良い。
【０１２８】
なお、本実施の形態において、地図情報表示部３０２は、映像出力装置３００の位置情報（自装置の位置情報）を取得し、当該取得した位置情報が示す位置を含む地図を表示するものだったが、地図情報表示部３０２は、装置情報受信部１０１が受信した位置情報（他の装置の位置情報）をキーに、地図情報格納部３０１に格納されている地図を検索し、当該検索された地図を表示してもよい。地図情報表示部３０２は、例えば、位置情報「東経１３５度３２分１５秒、北緯３４度４３分１２秒」をキーに、当該位置情報が示す位置を含む範囲の地図「ゴルフ場の地図」を検索する。次に、地図情報表示部３０２は、当該検索された地図を、液晶ディスプレイに表示する。
【０１２９】
次に、映像を出力する具体的方法について説明する。装置指示受付部３０４が装置を特定する指示を受け付けたと判断した場合、映像受信部１０２は、当該指示された装置が送信した映像を受信する。「装置を特定する指示」は、例えば、装置を示す星印または黒丸印をユーザがタッチすることである。かかる場合、液晶ディスプレイにタッチパネルが取り付けられている。装置指示受付部３０４は、タッチした位置を取得し、映像送信装置を特定する。なお、その他の指示方法で、装置を特定しても良い。例えば、装置指示受付部３０４が音声入力手段とその音声解析ソフト等によって実現されている場合、音声の入力を受け付け、当該音声を解析して、映像送信装置を特定してもよい。
【０１３０】
次に、映像出力部１０６は、当該受信された映像を液晶ディスプレイに表示する。図１９は、液晶ディスプレイの表示例を示す図である。図１９において、グリーン上でパットをする選手の映像が表示されている。
【０１３１】
以上、本実施の形態において、映像出力装置３００は、映像を送信する映像送信装置の位置を視覚的に表示できる。よって、ユーザは、装置の位置を簡単に特定して、ユーザが所望する装置から撮影された映像を取得し、表示できる。例えば、ユーザは、３番ホールにいながら、１１番ホールでのティーショットを見たり、１８番ホールでのパットを見ることができる。
【０１３２】
なお、本実施の形態において、装置の位置は、地図上に視覚的に表示されるものだったが、装置の位置は、その他の方法で視覚的に表示されても良い。装置位置表示部３０３は、映像出力装置３００を基点にして、その他の装置の位置を表示しても良い。図２０は、映像送信装置の位置を視覚的に表示する表示例を示す図である。図２０において、映像出力装置３００の位置は、基点の「○」印で示される位置である。装置識別子「０９０１２３４５６７８」で識別される映像送信装置（★印）は、基点から見て、方位「北東」の位置にあり、距離は「１３５ｍ」である。また、装置識別子「０８０８７６５４３２１」で識別される映像送信装置（▲印）は、基点から見て、方位「西北西」の位置にあり、距離は「８２ｍ」である。なお、基点から見た方位、距離等は、装置位置表示部３０３が算出しても良く、映像出力装置３００は、基点から見た方位、距離算出する算出手段をさらに具備しても良い。
【０１３３】
また、本実施の形態において、映像出力装置３００は、装置情報受信部１０１、映像受信部１０２、指示受付部１０５、映像出力部１０６、装置情報格納部１０７、地図情報格納部３０１、地図情報表示部３０２、装置位置表示部３０３、装置指示受付部３０４、ＧＰＳ３０５を有するものだったが、映像出力装置３００は、さらに、映像撮影部１０８、撮影映像蓄積部１０９、撮影映像格納部１１０、映像送信部１１１、装置情報送信部１１２を有しても良い。かかる場合、映像出力装置３００は、映像を撮影し、外部装置に当該映像と装置識別子の組を送信する。また、装置情報を送信しても良い。装置情報を送信する具体的方法、および映像と装置識別子の組を送信する具体的方法は、実施の形態１で説明した方法と同様であるので、ここでの説明は省略する。
【０１３４】
さらに、本実施の形態における映像出力装置３００の動作をソフトウェアで実現した場合のプログラムは、以下のようになる。コンピュータに、装置識別子と位置情報を有する装置情報を１以上受信する装置情報受信ステップと、位置情報に基づいて装置識別子で識別される映像送信装置の位置を視覚的に表示する装置位置表示ステップと、位置が表示された映像送信装置に対する指示を受け付ける指示受付ステップと、指示受付ステップで受け付けた指示に対応する映像送信装置から送信された映像を出力する出力ステップを実行させるためのプログラムである。
【０１３５】
また、コンピュータに、地図情報に基づいて地図を表示する地図情報表示ステップと、地図情報表示ステップで表示した地図上に映像送信装置の位置を視覚的に表示する表示ステップをさらに実行させるための上記記載のプログラムである。
【０１３６】
（実施の形態３）
本実施の形態において、映像出力装置が相互に映像を送受信する動作について、以下に説明する。
【０１３７】
図２１は、本実施の形態における第一映像出力装置４００および第二映像出力装置５００の構成を示すブロック図である。第一映像出力装置４００は、第一装置情報受信部１０１、第一映像受信部１０２、第一蓄積部１０３、第一格納部１０４、第一指示受付部１０５、第一映像出力部１０６、第一装置情報格納部１０７、第一映像撮影部１０８、第一撮影映像蓄積部１０９、第一撮影映像格納部１１０、第一映像送信部１１１、第一装置情報送信部１１２を有する。
【０１３８】
また、第二映像出力装置４００は、第二装置情報受信部５０１、第二映像受信部５０２、第二蓄積部５０３、第二格納部５０４、第二指示受付部５０５、第二映像出力部５０６、第二装置情報格納部５０７、第二映像撮影部５０８、第二撮影映像蓄積部５０９、第二撮影映像格納部５１０、第二映像送信部５１１、第二装置情報送信部５１２を有する。
【０１３９】
なお、第一映像出力装置４００の構成要素と第二映像出力装置５００の構成要素は、実施の形態１で説明した映像出力装置１００の構成要素と同一であるので、ここでの説明は省略する。
【０１４０】
図２２は、プロレス観戦の例を示す図である。図２２において、ユーザは、第一映像出力装置４００を持ち、プロレスの試合を撮影している。他方のユーザは、第二映像出力装置５００を持ち、プロレスの試合を撮影している。また、他のユーザ達も同様に、各々映像出力装置６００、映像出力装置７００を持ち、プロレスの試合を撮影している。各々のユーザの観戦場所は、異なっている。
【０１４１】
以下に、第一映像出力装置４００と第二映像出力装置５００の具体的動作について説明する。
第一装置情報受信部１０１は、第二装置情報送信部５１２が送信した装置情報を受信する。第一装置情報受信部１０１は、他の映像出力装置から装置情報を受信しても良い。次に、第一蓄積部１０３は、当該受信された装置情報を第一格納部１０４に蓄積する。
【０１４２】
次に、指示受付部１０５が、第二映像出力装置５００を示す装置識別子または位置情報を特定する指示を受け付けたと判断した場合、第一映像受信部１０２は、第二映像送信部５１１が送信した装置識別子と映像の組を受信する。なお、「指示受付部１０５が装置識別子または位置情報を特定する指示を受け付ける」とは、実施の形態１で説明した具体例と同様の方法であっても良く、または、ユーザが、例えば、装置識別子または位置情報を示すボタンを押下すること等でも良い。第一蓄積部１０３は、当該受信された装置識別子と映像の組を第一格納部１０４に蓄積する。次に、第一映像出力部１０６は、第一格納部１０４に蓄積された映像を取得し、当該取得された映像を、液晶ディスプレイに表示する。
【０１４３】
第一映像撮影部１０８が、「映像を撮影する方法」、「撮影された映像と装置識別子の組を送信する方法」及び「装置情報を送信する方法」は、実施の形態１で説明した方法と同様の方法であるので、ここでの説明は省略する。
【０１４４】
第二映像出力装置５００、その他の映像出力装置６００、７００の動作も、第一映像出力装置４００の動作と同様であるので、ここでの説明は省略する。
【０１４５】
以上、本実施の形態によれば、例えば、異なる位置で撮影されたプロレスの試合の映像をリアルタイムで見ることができ、ユーザは、プロレスの試合を満喫できる。
なお、本実施の形態において、映像送信部は、装置識別子と映像を送信し、映像受信部は、装置識別子と映像を受信するものだったが、映像送信部は、装置識別子と映像と当該映像を撮影した時刻の情報である撮影時刻情報を送信し、映像受信部は、装置識別子と映像と撮影時刻情報を受信するものでも良い。かかる場合、映像撮影部は、映像を撮影し、当該映像を撮影した時刻を映像撮影装置の時計または外部から取得する。なお、外部から時刻を取得する方法は、映像出力装置とケーブルにつながれたＰＣから取得する方法や、衛星から受信する方法等あり、特に問わない。次に、撮影映像蓄積部は、映像撮影部から当該取得した時刻である撮影時刻情報と当該撮影した映像を対にして取得し、撮影映像格納部に格納する。そして、映像送信部は、当該撮影映像格納部から撮影時刻情報と映像を取得する。映像送信部は、装置情報格納部から装置情報を取得する。そして、当該取得した装置情報と撮影時刻情報と映像の組を送信する。そして、映像受信部は、当該映像送信部が送信した装置情報と撮影時刻情報と映像の組を受信する。そして、映像出力部は、出力している映像（以下、「旧の映像）という。）から新しい映像（指示受付部が受け付けた指示に対応する映像）に切り替えて出力する場合に、当該撮影時刻情報から、旧の映像と新しい映像の同期をとって出力する。また、映像出力部は、２以上の異なる地点で撮影した映像を、当該映像の各々の撮影時刻情報から同期をとり、ディスプレイに同時に表示できる。なお、映像受信部は、２以上の映像送信装置から装置情報と撮影時刻情報と映像の組を受信し、蓄積部は、当該装置情報と撮影時刻情報と映像の組を格納部に格納する。そして、後で、ユーザが異なる地点から撮影された２以上の映像を編集する際に、当該撮影時刻情報から同期をとって編集映像を簡単に作成できる。また、ユーザは２以上の地点から撮影された映像を、同期をとって同時に見ることができる。このことは、他の実施の形態においても同様である。
【産業上の利用可能性】
【０１４６】
以上のように、本発明は、例えば、異なる場所の映像を受信し見ることができる。さらには、撮影した映像を他の装置に送信できるという効果を有し、例えば、デジタルビデオカメラ、カメラ付き携帯電話等に有用である。
【図面の簡単な説明】
【０１４７】
【図１】実施の形態１における映像出力装置と映像送信装置の構成を示すブロック図
【図２】実施の形態１における映像出力装置の動作について示すフローチャート
【図３】実施の形態１における映像出力装置の動作について示すフローチャート
【図４】実施の形態１における野球場の例を示す図
【図５】実施の形態１における装置情報の例を示す図
【図６】実施の形態１における装置識別子と映像の組の例を示す図
【図７】実施の形態１における蓄積された装置情報の例を示す図
【図８】実施の形態１における映像出力装置の外観例を示す図
【図９】実施の形態１における映像の表示例を示す図
【図１０】実施の形態１における装置識別子の例を示す図
【図１１】実施の形態１における装置識別子と映像の組の例を示す図
【図１２】実施の形態１における装置情報の例を示す図
【図１３】実施の形態１における映像の表示例を示す図
【図１４】実施の形態２における映像出力装置と映像送信装置の構成を示すブロック図
【図１５】実施の形態２における映像出力装置の動作について示すフローチャート
【図１６】実施の形態２における地図情報の例を示す図
【図１７】実施の形態２における地図の表示例を示す図
【図１８】実施の形態２における装置の位置の表示例を示す図
【図１９】実施の形態２における映像の表示例を示す図
【図２０】実施の形態２における装置の位置の表示例を示す図
【図２１】実施の形態３における映像出力装置の構成を示すブロック図
【図２２】実施の形態３におけるプロレス観戦の例を示す図
【符号の説明】
【０１４８】
１００、３００、４００、５００、６００、７００  映像出力装置
１０１  装置情報受信部
１０２  映像受信部
１０３  第一蓄積部
１０４  第一格納部
１０５  指示受付部
１０６  映像出力部
１０７  装置情報格納部
１０８  映像撮影部
１０９  撮影映像蓄積部
１１０  撮影映像格納部
１１１  映像送信部
１１２  装置情報送信部
２００  映像送信装置
２０１  第二格納部
２０２  送受信部
２０３  第二蓄積部
３０１  地図情報格納部
３０２  地図情報表示部
３０３  装置位置表示部
３０４  装置指示受付部
【図１】
2005175554.tif 000003
【図２】
2005175554.tif 000004
【図３】
2005175554.tif 000005
【図４】
2005175554.tif 000006
【図５】
2005175554.tif 000007
【図６】
2005175554.tif 000008
【図７】
2005175554.tif 000009
【図８】
2005175554.tif 000010
【図９】
2005175554.tif 000011
【図１０】
2005175554.tif 000012
【図１１】
2005175554.tif 000013
【図１２】
2005175554.tif 000014
【図１３】
2005175554.tif 000015
【図１４】
2005175554.tif 000016
【図１５】
2005175554.tif 000017
【図１６】
2005175554.tif 000018
【図１７】
2005175554.tif 000019
【図１８】
2005175554.tif 000020
【図１９】
2005175554.tif 000021
【図２０】
2005175554.tif 000022
【図２１】
2005175554.tif 000023
【図２２】
2005175554.tif 000024